(57)【要約】【課題】仕切り部に設けられる放熱部の断熱性を更に高めた冷蔵庫を提供することを課題とする。【解決手段】実施形態の冷蔵庫は、互いに隣接する貯蔵室を仕切る仕切り部３６を有する。仕切り部３６は、冷蔵庫正面側に配置された前板３８と、前板３８を裏面側から支える基部４０と、を備える。基部４０には、前板３８に後側から接する防露パイプ３２と、防露パイプ３２が放散する熱を遮断するための空気層４４を防露パイプ３２の後側に形成する空気層形成部材４６と、が配置されている。【選択図】図５
2015117849.tif 000002
【特許請求の範囲】
【請求項１】
互いに隣接する貯蔵室を仕切る仕切り部を有する冷蔵庫であって、
前記仕切り部は、冷蔵庫正面側に配置された前板と、
前記前板を裏面側から支える基部と、
を備え、
前記基部には、
前記前板に後側から接する放熱部と、
前記放熱部が放散する熱を遮断するための空気層を前記放熱部の後側に形成する空気層形成部材と、
が配置されていることを特徴とする冷蔵庫。
【請求項２】
複数の前記空気層が冷蔵庫奥行き方向に重なって形成されていることを特徴とする請求項１記載の冷蔵庫。
【請求項３】
前記前板の長手方向に沿って分割板が配列されることにより複数の前記空気層が前記前板の長手方向に沿って配列されていることを特徴とする請求項１または２記載の冷蔵庫。
【請求項４】
前記空気層形成部材がハニカム構造にされていることを特徴とする請求項１〜３のいずれか１項記載の冷蔵庫。
【請求項５】
前記空気層形成部材は、複数の前記空気層を千鳥状に配置する構造にされていることを特徴とする請求項１〜３のいずれか１項記載の冷蔵庫。
【請求項６】
前記空気層形成部材は、空気層を複数有する１つ以上の部材で構成されていることを特徴とする請求項１〜３のいずれか１項記載の冷蔵庫。
【請求項７】
前記空気層形成部材は、前記基部に収納可能な一体物で構成されていることを特徴とする請求項６記載の冷蔵庫。
【請求項８】
前記放熱部として防露パイプが設けられ、
前記空気層形成部材が前記防露パイプを前記前板に向けて押圧するように配置されていることを特徴とする請求項１〜７のいずれか１項記載の冷蔵庫。
【発明の詳細な説明】
【技術分野】
【０００１】
本発明の実施形態は、互いに隣接する貯蔵室を仕切る仕切り部を有している冷蔵庫に関する。
【背景技術】
【０００２】
汎用の冷蔵庫は、貯蔵室として、製氷室、冷凍室、野菜室（主に野菜を保存する室）、冷蔵室（一般的なものを保存する室）など、用途に応じた複数の室を有することが多い。
【０００３】
このように複数の貯蔵室を有する冷蔵庫では、隣接する貯蔵室を仕切る仕切り部が設けられている。この仕切り部には金属板（通常は鉄板）が配置されていることが多い。
【０００４】
このように金属板を配置すると金属板の結露防止対策を施す必要がある。このため、仕切り部には、通常、金属板に接触するように放熱部を配置している（例えば、特許文献１参照）。
【先行技術文献】
【特許文献】
【０００５】
【特許文献１】特願2012-2656号公報
【発明の概要】
【発明が解決しようとする課題】
【０００６】
ところで、上記の放熱部のうち金属板に接触する部位以外は、ヒートリークを防止するために断熱材で覆われている。断熱材としては、通常、熱伝導率の低いＥＰＳ（発泡スチロール）が用いられている。
【０００７】
このような構造の冷蔵庫では、冷蔵庫の性能向上および省エネの観点で、放熱部の断熱性を更に高めることが好ましい。
【０００８】
本発明は上記課題に鑑みてなされたものであり、仕切り部に設けられる放熱部の断熱性を更に高めた冷蔵庫を提供することを課題とする。
【課題を解決するための手段】
【０００９】
本発明の実施形態に係る冷蔵庫は、互いに隣接する貯蔵室を仕切る仕切り部を有する冷蔵庫である。仕切り部は、冷蔵庫正面側に配置された前板と、前板を裏面側から支える基部と、を備える。基部には、前板に後側から接する放熱部と、放熱部が放散する熱を遮断するための空気層を放熱部の後側に形成する空気層形成部材と、が配置されている。
【図面の簡単な説明】
【００１０】
【図１】第１実施形態の冷蔵庫の正面図である。
【図２】図１の部分拡大図である。
【図３】第１実施形態で、冷凍サイクルパイプを構成する防露パイプの配置を示す斜視図である。
【図４】第１実施形態で、（ａ）は冷凍庫を構成する仕切り部の展開斜視図、（ｂ）は図４（ａ）の矢視Ｐ−Ｐの断面図である。
【図５】第１実施形態で、防露パイプに対して配置された空気層形成部材を示す斜視図である。
【図６】第２実施形態の冷蔵庫の仕切り部に設けられる空気層形成部材を説明する断面図である。
【図７】第２実施形態の冷蔵庫の仕切り部に設けられる空気層形成部材の変形例を説明する部分斜視図である。
【図８】第３実施形態の冷蔵庫の仕切り部に設けられる空気層形成部材を説明する部分斜視図である。
【図９】第４実施形態の冷蔵庫の仕切り部に設けられる空気層形成部材を説明する部分斜視図である。
【発明を実施するための形態】
【００１１】
以下、添付図面を参照して、実施形態に係る冷蔵庫を説明する。なお、第２実施形態以下では、すでに説明したものと同一または類似の構成要素には同一または類似の符号を付し、その詳細な説明を適宜省略している。
【００１２】
［第１実施形態］
まず、第１実施形態について説明する。図１は本実施形態の冷蔵庫の正面図、図２は図１の部分拡大図、図３は、冷凍サイクルパイプを構成する防露パイプの配置を示す斜視図、図４で、（ａ）は冷凍庫を構成する仕切り部の展開斜視図、（ｂ）は図４（ａ）の矢視Ｐ−Ｐの断面図、図５は、防露パイプに対して配置された空気層形成部材を示す斜視図である。
【００１３】
冷蔵庫１を構成する冷蔵庫本体１０は、上から順に配置された冷蔵室１２と、並列配置された製氷室１４及び小冷凍室（Ｆ１室）１６と、製氷室１４および小冷凍室１６の下側に隣接する大冷凍室１８と、大冷凍室１８の下側に隣接する野菜室（主に野菜を保存する室）２０とをそれぞれ有している。
【００１４】
冷蔵室１２は、独立した庫内となっていて、ドア１２ｄはヒンジ２２を支点として開閉するヒンジタイプとなっている。製氷室１４、小冷凍室１６、野菜室２０、および、大冷凍室１１の各ドア１４ｄ、１６ｄ、１８ｄ、２０ｄは、それぞれ独立した庫内を有する引き出しタイプとなっている。
【００１５】
製氷室は氷を作るところで、庫内はマイナスの冷凍温度となるよう管理されている。小冷凍室１６は、炊飯後のごはん（米）などを急速冷凍する室である。小冷凍室１６、大冷凍室１８は、何れも、冷凍食品の保存を考慮してマイナスの冷凍温度となるよう管理されている。
【００１６】
野菜室２０は、温度補償ヒータ（図示せず）の外に、冷凍サイクルパイプ３０の放熱によって暖められるようになっている。温度補償ヒータは、野菜室２０の天井面，底面，背面にはわたって配置され、野菜室２０の庫内に設置された庫内温度センサ（図示せず）が規定温度以下の温度を検出した時にオンとなり、庫内を暖めるようになっている。したがって、庫内が規定温度以下とならない限り温度補償ヒータは待機状態におかれる。
【００１７】
本実施形態では、主に、凝縮器２２、圧縮機２４、絞り装置（図示せず）、蒸発器２６および冷凍サイクルパイプ３０によって、冷凍サイクルが形成されている。蒸発器２６は冷蔵庫本体１０の後部に設けられた冷却通路内に、配置され、蒸発器２６によって熱交換された冷気がファン（図示せず）によって各貯蔵室へ送り込まれることで、庫内冷却が行なわれる。
【００１８】
なお、圧縮機２４、凝縮器２２および絞り装置は冷蔵庫本体１０の後方下部に設けられた機械室内に配置されるようになっている。
【００１９】
冷凍サイクルパイプ３０を構成する防露パイプ３２は、凝縮器２２の下流に配置され、中温・低圧の冷媒が流れることが多い。配置場所は主に庫内開口周縁に沿って設けられている。
【００２０】
（仕切り部）
冷蔵庫１は、互いに隣接する製氷室１４、小冷凍室１６、および、大冷凍室１８を仕切る仕切り部３６を有する。仕切り部３６は、冷蔵庫正面側に配置された金属製の前板３８と、前板３８を裏面側から支える基部４０と、を備える。
【００２１】
基部４０は前板３８側に開口４２を有する凹状部材であり、基部４０内に、前板３８に裏面側から接する防露パイプ（放熱部）３２と、防露パイプ３２の熱を遮断するための空気層４４を防露パイプ３２の裏面側に形成する空気層形成部材４６と、が配置されている。
【００２２】
本実施形態では、複数の空気層４４ａ〜ｅが冷蔵庫奥行き方向に複数層に重なって形成されるように、基部４０内で、複数の板状の空気層形成部材４６ａ〜ｅが所定間隔を隔てて配置されている。
【００２３】
また、各空気層形成部材４６ａ〜ｅの寸法は、基部４０の開口４２に合わせられており、外側から開口４２内に空気層形成部材４６ａ〜ｅを入れることが可能になっている。
【００２４】
また、本実施形態では、図５に示すように、前板３８の長手方向Ｑに沿って分割板４８を配列することにより、前板３８の長手方向Ｑに沿って同形状の空気層４４ａ〜ｅが配列されている。
【００２５】
また、本実施形態では、空気層形成部材４６のうち最も前板側（冷蔵庫正面側）に位置する空気層形成部材４６ａは、防露パイプ３２を前板３８に向けて、すなわち冷蔵庫正面側に向けて押圧するように配置されている。また、空気層形成部材４６ａ〜ｅは断熱性の部材で構成されている。
【００２６】
（作用、効果）
以下、本実施形態の作用、効果について説明する。
【００２７】
本実施形態の冷蔵庫１では、上述したように、前板３８に当接している防露パイプ３２の裏面側には、複数の板状の空気層形成部材４６ａ〜ｅによって複数の空気層４４ａ〜ｅが形成されている。空気層はＥＰＳ（発泡スチロール）よりも断熱性に優れているので、冷蔵庫１は、従来に比べてヒートリークを効果的に抑えることができ、更なる性能向上および省エネ効果を計った冷蔵庫１とすることができる。また、仕切り部３６のうち防露パイプ３２以外の部分を予め別部材として製造しておき、冷蔵庫１を組み立てる際に、防露パイプ３２が仕切り部３６内で所定位置となるように仕切り部３６を組み込むことで、冷蔵庫１の製造時間の短縮が図られる。
【００２８】
また、複数の空気層４４ａ〜ｅが冷蔵庫奥行き方向に複数層に重なって形成されている。従って、各空気層では、他の空気層からの空気の流入、流出がないので、防露パイプ３２に対する断熱性がより優れている。
【００２９】
更に、前板３８の長手方向Ｑに沿って分割板４８を配列することにより、前板３８の長手方向Ｑに沿って同形状の空気層４４ａ〜ｅが配列されている。これにより、基部４０の強度を確保し易い構成にすることができ、しかも、分割板４８によって区切られた一部の室の温度が上がっても、分割板４８で区切られた他の室への対流が妨げられ、他の室の温度が上昇することが妨げられる。
【００３０】
また、既設の簡単な構成の防露パイプ３２が放熱部として設けられており、空気層形成部材４６ａがこの防露パイプ３２を前板３８に向けて押圧するように配置されている。これにより、防露パイプ３２と前板３８との接触を確保することができる。
【００３１】
また、複数枚の空気層形成部材４６ａ〜ｅは断熱性の部材で構成されている。これにより、隣り合う空気層間でのヒートリークを効果的に抑えることができ、また、防露パイプ３２に接触している空気層形成部材４６ａからのヒートリークを大きく抑えることができる。
【００３２】
また、各空気層形成部材４６ａ〜ｅの寸法は、基部４０の開口４２に合わせられていて、外側から開口４２内に空気層形成部材４６ａ〜ｅを入れることが可能になっている。従って、防露パイプ３２の形状に合わせた形状の空気層形成部材４６ａを用いることで、種々の形状の防露パイプ３２に対し、常に前板３８との接触性（密着性）を高めることが可能である。
【００３３】
なお、空気層形成部材４６ａの前面側（冷蔵庫正面側）や、空気層形成部材４６ａによって区分けられ防露パイプ３２に最も近い空気層４４ａに、空気層ではない断熱材を配置してもよい。これにより、防露パイプ３２を押圧する観点で空気層形成部材４６ａの強度が不足している場合、この強度不足を解消させる観点で有効であり、また、空気層形成部材４６ａの形状を防露パイプ３２の寸法に合わせることで、防露パイプ３２を前板３８に効果的に押圧することができる。空気層ではない断熱材としては、なるだけ強度の高くて熱伝導率が低いものを用いることが好ましい。
【００３４】
また、冷凍サイクルパイプ３０の一部を、野菜室９の背部まで延長した延長配管パイプ５０（図３参照）にすることで、野菜室２０を加温する構造にして、省エネ効果を図ってもよい。
【００３５】
また、図５では、各空気層４４ａ〜ｅが同一寸法であるように描いているが、空気層４４ａ〜ｅの寸法が同一でなくてもよく、高い断熱性を必要とするゾーンで空気層の寸法（厚み）を大きくし、高い強度を必要とするゾーンで空気層の寸法（厚み）を小さくしてもよい。
【００３６】
［第２実施形態］
次に、第２実施形態を説明する。図６は、本実施形態の冷蔵庫の仕切り部に設けられる空気層形成部材を説明する断面図である。本実施形態では、空気層形成部材５６がハニカム構造にされており、空気層形成部材５６によって断面正六角形状の空気層５４が配列されている。
【００３７】
本実施形態により、第１実施形態で奏される効果に加え、少ない重量で高い強度の空気層形成部材５６を仕切り部に配置できるという効果も奏される。
【００３８】
なお、ハニカム構造に代えて、図７に示すような断面格子状の構造の空気層形成部材５８にしても、同様の効果を奏することができる。
【００３９】
［第３実施形態］
次に、第３実施形態を説明する。図８は、本実施形態の冷蔵庫の仕切り部に設けられる空気層形成部材を説明する部分斜視図である。本実施形態では、防露パイプ３２の後側に配置される空気層形成部材６６は、丸パイプ（断面が円孔状のパイプ）６８が重ねられて千鳥状に配置されたもので構成されている。
【００４０】
本実施形態により、第１実施形態で奏される効果に加え、簡単な構成で高い強度の空気層形成部材６６を配置できるという効果も奏される。なお、丸パイプ６８に代えて角パイプ（断面が四角孔状のパイプ）を用いてもよい。
【００４１】
［第４実施形態］
次に、第４実施形態を説明する。図９は、本実施形態の冷蔵庫の仕切り部に設けられる空気層形成部材を説明する部分斜視図である。本実施形態では、空気層形成部材７６は、同一形状の空気層７４を複数有する１つ以上の部材で構成されている。例えば、基部４０内に、平面視格子状の空気層形成部材７６が前板３８の長手方向Ｑに沿って一列に配置されている。
【００４２】
本実施形態では、第１実施形態で奏される効果に加え、仕切り部３６を製造する際、予め製造しておいた空気層形成部材７６を基部４０に収納していくことにより、仕切り部３６の製造時間を大幅に短縮することができるという効果も奏される。
【００４３】
なお、各空気層７４が同一形状であってもよい。これにより、基部４０に空気層形成部材７６を収納していく際、空気層形成部材７６の向きをあまり考慮しなくてもよいので、作業性が向上する。
【００４４】
また、本実施形態では、空気層形成部材７６が基部４０に収納可能な１つの構造物で構成されていてもよい。これにより、仕切り部３６の製造時間を更に短縮することができる。
【００４５】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４６】
１  冷蔵庫
１２  冷蔵室（貯蔵室）
１４  製氷室（貯蔵室）
１６  小冷凍室（貯蔵室）
２０  野菜室（貯蔵室）
３２  防露パイプ（放熱部、防露パイプ）
３６  仕切り部
３８  前板
４０  基部
４４ａ〜ｅ  空気層
４６ａ〜ｅ  空気層形成部材
４８  分割板
５４  空気層
５６  空気層形成部材
６６  空気層形成部材
７４  空気層
Ｑ  長手方向
【図１】
2015117849.tif 000003
【図２】
2015117849.tif 000004
【図３】
2015117849.tif 000005
【図４】
2015117849.tif 000006
【図５】
2015117849.tif 000007
【図６】
2015117849.tif 000008
【図７】
2015117849.tif 000009
【図８】
2015117849.tif 000010
【図９】
2015117849.tif 000011